【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
プリンタにおいて、
印刷リボン、
移行部分によって隣接したパネルから各々離間された一連のパネル及び供給ロールと巻き上げロールとの間で支持された区分を含み、前記区分は前記巻き上げロールに向かう供給方向を有する、転写リボン、
印刷材料を前記印刷リボンから前記転写リボンの前記区分に転写するように形成されたプリントヘッド、及び
前記転写リボンの前記区分の前記供給方向に対して前記プリントヘッドの下流に位置決めされた、前記移行部分のうちの一つの移行部分の前記プリントヘッドに対する位置を示す出力信号を持つ第１センサ
を含む、プリンタ。
【請求項２】
前記第１センサの位置は、前記プリントヘッドから前記転写リボンのパネルのほぼ一枚分の長さのところにあり、これによって、前記第１センサによる又は出力信号によって表示されるパネルの前移行部分の検出により、プリントヘッドが同じパネルのほぼ後移行部分のところに位置決めされる、請求項１記載のプリンタ。
【請求項３】
前記第１センサは、転写リボンの前記区分の両側に位置決めされた送信機及び受信機を含む、請求項１記載のプリンタ。
【請求項４】
前記転写リボンの供給方向に対して前記プリントヘッドの下流に位置決めされた転写ローラ、及び
前記プリントヘッドと前記転写ローラとの間に位置決めされ、前記移行部分を検出するように形成された第２センサ
を含む、請求項１記載のプリンタ。
【請求項５】
前記第２センサの位置は、前記転写ローラから前記転写リボンのパネルのほぼ一枚分の長さのところにあり、これによって、前記第２センサによるパネルの後移行部分の検出により、前記転写ローラが同じパネルのほぼ前移行部分のところに位置決めされる、請求項
４記載のプリンタ。
【請求項６】
前記第２センサは、前記転写リボンの前記区分の両側に位置決めされた送信機及び受信機を含む、請求項４記載のプリンタ。
【請求項７】
前記第２センサは、前記転写リボンの前記供給方向に対して前記第１センサの上流に位置決めされる、請求項４に記載のプリンタ。
【請求項８】
隣接したパネルから移行部分によって各々離間された一連のパネルを含む転写リボンを持ち、前記転写リボンは供給ロールと巻き上げロールとの間に支持された区分を有し、供給方向が前記巻き上げロールに向かう、プリンタで、前記転写リボンのパネルをプリンタの一つ又はそれ以上の構成要素と整合させる方法において、
前記転写リボンの前記移行部分を検出するように形成された第１センサを前記供給方向に対して第１プリンタ構成要素の下流に第１距離のところに位置決めする工程、
前記転写リボンを前記供給方向で供給する工程、及び
前記パネルのうちの一枚のパネルの前移行部分を前記第１センサで検出し、これによって前記第１プリンタ構成要素と隣接した移行部分の位置を決定できる工程
を含む、方法。
【請求項９】
前記第１距離は、パネルのほぼ一枚分の長さである、請求項８記載の方法。
【請求項１０】
前記第１プリンタ構成要素はプリントヘッドである、請求項８記載の方法。
【請求項１１】
前記転写リボンの前記移行部分を検出するように形成された第２センサを前記供給方向に対して第２プリンタ構成要素の上流に第２距離のところに位置決めする工程、及び
前記第２センサで前記パネルのうちの一枚のパネルの前移行部分を検出し、これによって前記第２プリンタ構成要素と隣接した移行部分の位置を決定できる工程、
を含む、請求項８記載の方法。
【請求項１２】
前記第２距離は、パネルのほぼ一枚分の長さである、請求項１１記載の方法。
【請求項１３】
前記第１プリンタ構成要素は転写ローラである、請求項１１記載の方法。
【請求項１４】
ＩＤカードプリンタにおいて、
印刷プラテン、
印刷位置と引っ込み位置との間で移動自在の第１支持体、
前記第１支持体に対して前進位置とフローティング位置との間で移動するように前記第１支持体に移動自在に取り付けられたプリントヘッド、及び
前記プリントヘッドを前記前進位置に向かって押圧する押圧力を加えるように形成された押圧構成要素
を含む、ＩＤカードプリンタ。
【請求項１５】
前記プリントヘッドは、前記印刷プラテンに面する複数の抵抗加熱エレメントを含む、請求項１４記載のＩＤカードプリンタ。
【請求項１６】
前記プリントヘッドが取り付けられた第２支持体を含み、この第２支持体は前記第１支持部材に移動自在に取り付けられており、前記前進位置と前記フローティング位置との間で移動するように形成されている、請求項１４記載のＩＤカードプリンタ。
【請求項１７】
前記第１支持体は、スロットを各々有する一対の側壁を含み、前記第２支持体は、前記側壁の前記スロットを通って延びる横部材を含み、前記スロットは、前記第１支持体に対する前記第２支持体の移動を制限し、前記前進位置を画成する、請求項１６記載のＩＤカードプリンタ。
【請求項１８】
前記押圧部材は、前記第１支持部材に取り付けられた、前記第２支持部材及び前記プリントヘッドのうちの一方と係合するばね部材を含む、請求項１６記載のＩＤカードプリンタ。
【請求項１９】
前記第１支持体と係合し、前記第１支持体と前記印刷プラテンとの間の最小間隔を制限するように形成され、これによって、前記印刷位置を定める第１支持ストップを含む、請求項１４記載のＩＤカードプリンタ。
【請求項２０】
前記第１支持ストップは、前記印刷プラテンのアクスルを含み、前記第１支持体はアクスルレシーバーを含み、このアクスルレシーバーは、前記印刷位置にあるとき、前記アクスルと係合し、これによって前記第１支持体と前記印刷プラテンとの間の最小間隔を制限する、請求項１９記載のＩＤカードプリンタ。
【請求項２１】
前記押圧構成要素は、前記フローティング位置にあるとき、前記プリントヘッドが前記印刷プラテンに加える圧力を制御する、請求項１４記載のＩＤカードプリンタ。
【請求項２２】
前記プリントヘッドの前記前進位置を制限するストップ部材を含む、請求項１４記載のＩＤカードプリンタ。
【請求項２３】
前記プリントヘッドが前記フローティング位置にあるとき、前記第１支持体は前記印刷位置にあり、前記プリントヘッドは前記前進位置及び前記ストップ部材から変位される、請求項２２記載のＩＤカードプリンタ。
【請求項２４】
ＩＤカードプリンタにおいて、
カードをカード経路に沿って搬送し、カードをカード出力部を通して排出するように形成されたカード搬送機構、及び
前記カード出力部から前記カードを間に受け取るように形成された第１及び第２のローラを持つピンチローラアッセンブリを含み、前記第１及び第２のローラの回転軸線を通ってこれらの軸線と平行に延びる平面が前記カード経路に対して垂直でないカードベンダー
を含む、ＩＤカードプリンタ。
【請求項２５】
前記第１及び第２のローラの一方がモータによって駆動される、請求項２４記載のＩＤカードプリンタ。
【請求項２６】
前記カードベンダーは、前記第１ローラのアクスルに取り付けられたブラケットを含み、前記第２ローラは前記ブラケットによって支持されたアクスルを含む、請求項２４記載のＩＤカードプリンタ。
【請求項２７】
前記ブラケットの角度位置が平面を画成する、請求項２６記載のＩＤカードプリンタ。
【請求項２８】
前記ブラケットの前記角度位置は調節自在である、請求項２７記載のＩＤカードプリンタ。
【請求項２９】
前記第１ローラは前記第２ローラから遠ざかる方向に及び前記第２ローラに向かう方向に移動自在である、請求項２６記載のＩＤカードプリンタ。
【請求項３０】
前記第１ローラを前記第２ローラに向かって差し向ける力を前記第１ローラに加えるように形成された押圧機構を含む、請求項２８記載のＩＤカードプリンタ。
【請求項３１】
前記押圧機構はばねを含む、請求項３０記載のＩＤカードプリンタ。
【請求項３２】
前記カードの一部を実質的に前記カード経路に維持するように形成されたカード支持体が前記カード出力部に設けられている、請求項２４記載のＩＤカードプリンタ。
【請求項３３】
前記カード支持体はピンチローラアッセンブリを含む、請求項３２記載のＩＤカードプリンタ。
【手続補正２】
【補正対象書類名】図面
【補正対象項目名】図４
【補正方法】変更
【補正の内容】
【図４】
2007510557.tif 000001
【手続補正３】
【補正対象書類名】図面
【補正対象項目名】図５
【補正方法】変更
【補正の内容】
【図５】
2007510557.tif 000002